(57)【要約】      （修正有）【課題】種々のゴミ箱にゴミ袋を容易に、かつ見栄えよく装着できるバンドを提供する。【解決手段】先端部がＴ字に、反対側に細長い穴が加工された樹脂製バンドを用意し、Ｔ字側が外側になるようにして丸めて、Ｔ字部を細長い穴にひっかけて大きさが可変なリングをつくる。そのリングにゴミ袋を通して、袋の端をリングに沿って外側に折り返し、ゴミ袋とリング状の樹脂製バンドを一緒に持ちながら、Ｔ字部の連結部をスライドさせてリングの大きさを小さくしてゴミ箱の中に挿入する。手を放すと樹脂製バンドが弾性で広がろうとする力で挟み込んだゴミ袋の端を押さえつける。その状態を整えて装着を終了する。【選択図】図３
0003217300.tif 000002
【実用新案登録請求の範囲】
【請求項１】
ゴミ箱の中にゴミ袋を容易にかつ外観的に見栄えよく装着するための樹脂製の細長い板状のバンドで、バンドの片側の端をＴ字の形に加工して反対側に長手方向に細長い穴をあけ、その先端部にはバンドをリング状に丸めたときの重なり部のガイドとなるように凹みを設けた形状で、バンドをリング状に丸めて先端のＴ字形状部が外側にくるように重ね、そのＴ字部を細長い穴の外側からひねって挿入して連結し、連結部が樹脂バンドの弾性で広がろうとスライドしてゴミ袋を挟み込んでゴミ箱に容易に装着できるバンド。
【考案の詳細な説明】
【技術分野】
【０００１】  本考案はゴミ箱にゴミ袋を装着するときに、ゴミ袋がゴミ箱の外側にはみ出さない形で見栄えよく且つ容易に装着できるバンドに関する。
【背景技術】
【０００２】  一般家庭用や各種施設では種々のゴミ箱が使用されていて、ゴミ箱の内壁が液体や粘着性のゴミ等で汚れることを避けるためや、ゴミ箱の中のゴミの回収を容易にするためや、ゴミの移し替えでのゴミの飛散や周囲への汚染拡散を抑制するため等を目的に、ゴミ箱の中にゴミ袋を装着し、ゴミ袋ごとゴミを回収することが多い。
【先行技術文献】
【特許文献】
【０００３】
【特許文献１】特開２０１７−１９６６２
【特許文献２】特開２０１７−４３４９０
【特許文献３】実用新案登録第３２０９２５０
【考案の概要】
【考案が解決しようとする課題】
【０００４】  しかし、ゴミ箱にゴミ袋を装着するとゴミ袋の端がゴミ箱の外にはみ出して外観が損なわれたり、蓋のあるゴミ箱では蓋の開閉がスムーズにできない等の課題がある。また、ゴミ袋の端をゴミ箱の淵に収めるようなカバーやゴミ箱の内側にゴミ袋を装着する留め具等が提案されているが、種々のゴミ箱に提供できる汎用性が乏しかったり、ゴミ袋の着脱が煩雑で、留め具の構成部品が紛失したり等の課題もあり、広く普及、活用されているとはいえない。そこで本考案は、単純形状の一つのバンドで種々のゴミ箱に見栄えよく且つ容易にゴミ袋を装着できる汎用性の高い手段を提供するものである。
【課題を解決するための手段】
【０００５】  本考案は、樹脂製の単純板形状のバンドで、その形状は、バンドの片方の端近くが両側から幅が狭くなりＴ字の形状をし、反対側の端近くには、Ｔ字の足部よりやや幅が広い細長い長方形の穴があけられている。また、先端がＴ字を形成している側のバンドの幅は、穴をあけた側の幅より狭く、穴部の幅寸法を除いたバンドの有効幅寸法がほぼ同じになるようになっており、バンドを丸めてリングをつくったときに円を形成しやすいようになっており、さらに、穴をあけた側先端には、バンドをＴ字部側が外側になるように重ねてリング形状にしたとき、重なり部がずれてリング形状が壊れないようにガイドとなる凹みが設けられている。【０００６】  本考案のバンドをまるめてＴ字部側が外側になるように重ねてリングをつくり、Ｔ字部をひねりながら細長い穴に挿入し、樹脂製バンドの弾性でもとに戻ることでＴ字部が細長い穴部にひっかかり連結されリング形状をつくることができる。【０００７】  Ｔ字部は樹脂製バンドの弾性により細長い穴の中でスライドしてリングの大きさを変化させることができ、リングが小さくなるようにスライドさせても手を離すと樹脂バンドのもとに戻ろうとする弾性で、リングの大きさが大きくなろうとする特性を有している。【０００８】  本考案のバンドをリング形状にしたのち、ゴミ袋を袋の端がリングのところにくるまでリングの中を通し、袋の端をリングの外側に沿って折り返えす。その状態でゴミ袋とリング状のバンドを重ねて持ち、リングのスライド部を使ってゴミ箱の内径寸法よりゴミ袋の重なったリングの大きさを小さくしながらゴミ箱の中に挿入する。【０００９】  挿入後に手を放し樹脂製バンドの弾性で広がろうとする力を利用してゴミ袋の端部をゴミ箱の内周側に押し付ける形で装着する。その後、リング状にしたバンドとゴミ袋の重なり部を手で押さえながら、ゴミ袋の端の装着具合とゴミ袋のゴミ箱内での広がり具合を手で整えて装着を完了する。【００１０】  ゴミ袋をゴミ箱から取り出すときは、リング状にしたバンドに指をかけてゴミ箱の内側に沿って引き出すようにしてゴミ袋と装着バンドを一緒に取り出し、その状態で簡単に装着バンドからはずれたゴミ袋を回収して廃棄するとともに、リング状の装着バンドに新しくゴミ袋を同様にして装着して繰り返し使用する。
【考案の効果】
【００１１】  上述のように、本考案のゴミ袋装着バンドは単純形状の単一樹脂製バンドからなり、ゴミ箱にゴミ袋を容易にしかも見栄えよく装着し、繰り返し使用することができる。また、装着したバンドでゴミ袋を押さえつける位置は、装着バンドの連結部がスライドできるので、ゴミ箱の中で任意の位置（高さ）に設定することができる。【００１２】  また、ゴミ箱の口が大きい場合には、リングをつくるときと同様にして、二つのバンドを連結して対応することもできる。
【図面の簡単な説明】
【００１３】
【図１】  本考案のゴミ箱用ゴミ袋装着バンドの斜視図
【図２】  本ゴミ袋装着バンドをリング形状に組み立てる方法を示した図
【図３】  ゴミ袋装着バンドでゴミ箱にゴミ袋を装着する様子を示した図
【考案を実施するための形態】
【００１４】  本考案のゴミ袋装着バンドをリング形状にしたのち、ゴミ袋とリング状バンドを一緒に手で持ちながらゴミ箱に挿入するときにゴミ袋が固定せず作業しずらい場合には、バンドの幅方向のほぼ中央に数カ所設けられた穴のいくつかを選んで、ゴミ袋の端を適当につかんでバンドの外側から穴の中に押し込み穴に設けられた切り込みにひっかけて固定すれば、より安定して容易にゴミ袋をバンドと一緒にゴミ箱に挿入し装着することができる。
【実施例】
【００１５】  以下、添付図面に従って実施例を説明する。４が装着バンドの形状で、材質は塩化ビニル樹脂で厚みが２ｍｍ、長さが７５０ｍｍ、幅３０ｍｍの板から切り出した。５のＴ字部の足の幅は７ｍｍ、長さ１０ｍｍ、６の細長い穴部は幅８ｍｍ、長さ１２０ｍｍで加工した。また、Ｔ字側の幅寸法は２２ｍｍとした。８はゴミ袋の淵を折り返して仮止めするための穴を４ｍｍであけ１カ所切り込みを入れたもので３カ所に加工した。７のバンド重なり部のガイドは幅２３ｍｍ深さ５ｍｍで加工し、ガイドとして重なり部がスライドするところは面取り加工した。【００１６】  ３のゴミ箱は、一般的な開口径２１５ｍｍ高さ２３０ｍｍのプラスチック製の円錐台形状もので、ゴミ袋はゴミ箱の大きさに適応した大きさのレジ袋を用いた。【００１７】  加工したバンドを図２の要領でリング形状にし、図３の要領でゴミ袋をゴミ箱に装着し、簡単に見栄えよく短時間で装着できることを確認した。
【産業上の利用可能性】
【００１６】  本考案のゴミ袋装着バンドは単純な形状の１つの部品でいろんな形状大きさのゴミ箱に利用でき、繰り返し使用することができる。また、二本、三本と組み合わせて使用することも可能であり、非常に汎用性があり利便性高いものである。樹脂製の単純形状でもあり、安価に多量に、多種類の材質、サイズのものが提供可能と考えられる。
【符号の説明】
【００１７】  １  ゴミ袋（ゴミ箱の大きさに適応できるレジ袋など）
２  ゴミ袋装着バンドをリング状にした状態
３  ゴミ箱
４  ゴミ袋装着バンド
５  ゴミ袋装着バンドをリング状に連結するためのＴ字部
６  ゴミ袋装着バンドをリング状に連結するための細長い穴部
７  ゴミ袋装着バンドをリング状にしたときの重なり部のガイド溝
８  ゴミ袋の淵を折り返してゴミ袋装着バンドに仮止めするための穴
【図１】
0003217300.tif 000003
【図２】
0003217300.tif 000004
【図３】
0003217300.tif 000005